(57)【要約】【課題】スパークプラグを構成する絶縁体および主体金具の軸線が傾いている場合に、互いの組付け精度を向上させることのできるスパークプラグの製造方法を提供する。【解決手段】スパークプラグは、主体金具３０と絶縁体５０とを備え、絶縁体５０の後方部５２の先端が主体金具３０の後端側筒状部３６ｂの先端に係止されている。このスパークプラグの製造方法は、軸線Ｏ１に対する軸線Ａ１の傾き方向Ｘを特定する主体金具偏芯測定工程と、軸線Ｏ２に対する軸線Ａ２の傾き方向Ｙを特定する絶縁体偏芯測定工程と、主体金具３０と絶縁体５０とを組み付ける組み立て工程とを含む。組み立て工程では、先端側から見たときに、傾き方向Ｘと傾き方向Ｙとのなす角度θが０°以上９０°以下の範囲内となるように、主体金具３０と絶縁体５０とを組み付ける。【選択図】図４
2020194663.tif 000002
【特許請求の範囲】
【請求項１】
軸方向に沿って延び、前記軸方向の先端側に向かって外径が縮径する先端部と、前記先端部の後方側に接続される後方部と、を有する絶縁体と、
前記絶縁体の外周に配置され、前記絶縁体の前記先端部を内側に備える先端側筒状部と、前記先端側筒状部の後端に接続されて前記絶縁体の前記後方部を内側に備える後端側筒状部と、を有する略筒状の主体金具と、
を備え、
前記絶縁体の前記後方部の先端が前記主体金具の前記後端側筒状部の先端に係止されているスパークプラグの製造方法であって、
前記主体金具において、前記後端側筒状部の内周面を基準とした軸線Ｏ１に対する前記先端側筒状部の内周面を基準とした軸線Ａ１の傾き方向であって、前記軸線Ｏ１の延びる方向から見たときの傾き方向Ｘを特定する主体金具偏芯測定工程と、
前記絶縁体において、前記後方部の軸線Ｏ２に対する前記先端部の軸線Ａ２の傾き方向であって、前記軸線Ｏ２の延びる方向から見たときの傾き方向Ｙを特定する絶縁体偏芯測定工程と、
前記軸方向の先端側から見たときに、前記傾き方向Ｘと前記傾き方向Ｙとのなす角の小さい方が０°以上９０°以下の範囲内となるように、前記主体金具と前記絶縁体とを組み付ける組み立て工程と
を含む、スパークプラグの製造方法。
【請求項２】
前記絶縁体偏芯測定工程は、前記絶縁体の前記後方部を支持した状態で前記軸線Ｏ２を起点として前記絶縁体を回転させ、ピックテスターまたは撮影画像を用いて前記傾き方向Ｙを測定する、
請求項１に記載のスパークプラグの製造方法。
【請求項３】
前記主体金具偏芯測定工程は、前記主体金具の前記後端側筒状部を支持した状態で前記軸線Ｏ１を起点として前記主体金具を回転させ、ピックテスターを用いて前記傾き方向Ｘを測定する、
請求項１または２に記載のスパークプラグの製造方法。
【請求項４】
前記組み立て工程は、前記絶縁体の前記先端部に当接して、前記先端部の前記軸線Ａ２を前記主体金具の前記先端側筒状部の前記軸線Ａ１側へ位置を矯正するための治具を用いて前記主体金具と前記絶縁体とを組み付ける、請求項１から３の何れか１項に記載のスパークプラグの製造方法。
【発明の詳細な説明】
【技術分野】
【０００１】
本発明は、内燃機関に用いられるスパークプラグの製造方法に関する。
【背景技術】
【０００２】
自動車用エンジンなどの内燃機関の着火手段として、スパークプラグが用いられている。スパークプラグは、軸状の中心電極と、その中心電極を先端側で保持し軸方向に延びる絶縁体と、その絶縁体を内側に保持する筒状の主体金具とを有している。スパークプラグは、中心電極の先端部と、主体金具の先端部に取り付けられた接地電極との間で火花放電が発生するように構成されている。
【０００３】
近年、スパークプラグには、内燃機関の設計自由度の向上などを目的として小径化が求められている。スパークプラグを小径化すると、主体金具の先端部の内径が小さくなる。一方、高電圧が印加される中心電極を保持する絶縁体の肉厚は、電気的あるいは機械的な特性等による制限から極端に小さくすることは困難である。そのため、スパークプラグを小径化することにより、絶縁体の先端部と主体金具の先端部との距離が短くなる。この場合、絶縁体の軸線と主体金具の軸線とのずれ量が大きくなると、絶縁体と主体金具との間の最短距離が短くなりすぎて、主体金具の先端部と中心電極との間で火花放電が発生しやすくなる虞がある。
【０００４】
特許文献１には、主体金具と絶縁体とを組み付ける際に、互いの軸線のずれ量をより小さくすることを目的としたスパークプラグの製造方法が開示されている。この製造方法では、主体金具の径方向への変位を規制するための第１の位置決め部材に主体金具の軸方向における先端部を当接させ、前記第１の位置決め部材に対して軸方向に相対的に移動可能であり、絶縁体の径方向への変位を規制するための第２の位置決め部材に絶縁体の軸方向における先端部を当接させて、主体金具と絶縁体とを組み付ける。このようにして各位置決め部材を用いて主体金具と絶縁体とを組み付けることで、互いの軸線のずれ量を小さくすることができる。
【先行技術文献】
【特許文献】
【０００５】
【特許文献１】特開２０１１−３４６７７号公報
【発明の概要】
【発明が解決しようとする課題】
【０００６】
しかし、主体金具または絶縁体といった個々の部材を製造する場合には、各部材の加工精度のばらつきによって主体金具自体の軸線または絶縁体自体の軸線が直線状にならず、各軸線が途中で傾斜した形状で製造されてしまうことがある。それぞれの軸線が直線状ではない主体金具と絶縁体とを組み付ける場合には、互いの軸線の傾き方向の位置関係によっては、軸線のずれ量が非常に大きくなり、位置決め部材を用いて軸線の位置を調整しきれない場合がある。また、軸線位置を矯正するための治具を用いて絶縁体の軸線の位置を矯正しながら組付けを行うと、矯正の程度が大きくなることから、主体金具と絶縁体との接触部分に応力が集中し、この部分が損傷する可能性がある。
【０００７】
そこで、本発明では、スパークプラグを構成する絶縁体および主体金具の軸線が傾いている場合に、互いの組付け精度を向上させることのできるスパークプラグの製造方法を提供する。
【課題を解決するための手段】
【０００８】
本発明の一局面にかかるスパークプラグの製造方法において、スパークプラグは、絶縁体と、略筒状の主体金具とを備えている。前記絶縁体は、軸方向に沿って延び、前記軸方向の先端側に向かって外径が縮径する先端部と、前記先端部の後方側に接続される後方部と、を有する。前記主体金具は、前記絶縁体の外周に配置され、前記絶縁体の前記先端部を内側に備える先端側筒状部と、前記先端側筒状部の後端に接続されて前記絶縁体の前記後方部を内側に備える後端側筒状部と、を有する。このスパークプラグにおいて、前記絶縁体の前記後方部の先端は、前記主体金具の前記後端側筒状部の先端に係止されている。このスパークプラグの製造方法は、主体金具偏芯測定工程と、絶縁体偏芯測定工程と、組み立て工程とを含む。前記主体金具偏芯測定工程では、前記主体金具において、前記後端側筒状部の内周面を基準とした軸線Ｏ１に対する前記先端側筒状部の内周面を基準とした軸線Ａ１の傾き方向であって、前記軸線Ｏ１の延びる方向から見たときの傾き方向Ｘを特定する。前記絶縁体偏芯測定工程では、前記絶縁体において、前記後方部の軸線Ｏ２に対する前記先端部の軸線Ａ２の傾き方向であって、前記軸線Ｏ２の延びる方向から見たときの傾き方向Ｙを特定する。前記組み立て工程では、前記軸方向の先端側から見たときに、前記傾き方向Ｘと前記傾き方向Ｙとのなす角の小さい方が０°以上９０°以下の範囲内となるように、前記主体金具と前記絶縁体とを組み付ける。
【０００９】
上記の製造方法によれば、スパークプラグを構成する絶縁体および主体金具の各軸線が直線状ではない場合に、組み立て工程において、傾き方向Ｘと傾き方向Ｙとのなす角度θが０°以上９０°以下の範囲内となるように主体金具と絶縁体とを組み付けることで、互いの組付け精度を向上させることができる。これにより、主体金具の軸線Ａ１と絶縁体の軸線Ａ２とのずれ量を小さくすることができる。したがって、主体金具の先端部と中心電極との間での火花放電の発生を抑制することのできるスパークプラグを得ることができる。
【００１０】
上記の本発明の一局面にかかるスパークプラグの製造方法において、前記絶縁体偏芯測定工程は、前記絶縁体の前記後方部を支持した状態で前記軸線Ｏ２を起点として前記絶縁体を回転させ、ピックテスターまたは撮影画像を用いて前記傾き方向Ｙを測定してもよい。
【００１１】
上記の製造方法によれば、傾き方向Ｙを精度よく測定することができる。
【００１２】
また、上記の本発明の一局面にかかるスパークプラグの製造方法において、前記主体金具偏芯測定工程は、前記主体金具の前記後端側筒状部を支持した状態で前記軸線Ｏ１を起点として前記主体金具を回転させ、ピックテスターを用いて前記傾き方向Ｘを測定してもよい。
【００１３】
上記の製造方法によれば、傾き方向Ｘを精度よく測定することができる。
【００１４】
また、上記の本発明の一局面にかかるスパークプラグの製造方法において、前記組み立て工程では、前記絶縁体の前記先端部に当接して、前記先端部の前記軸線Ａ２を前記主体金具の前記先端側筒状部の前記軸線Ａ１側へ位置を矯正するための治具を用いて前記主体金具と前記絶縁体とを組み付けてもよい。
【００１５】
上記の製造方法によれば、主体金具と絶縁体との組付け後の各軸線Ａ１およびＡ２の相対位置を、より所望の状態に近づけることができる。また、軸線Ａ１およびＡ２の相対位置を所定の関係にして主体金具と絶縁体とを組み付けるので、矯正の程度を小さくすることができ、主体金具と絶縁体との接触部分に過度な負荷がかかることを回避することができる。
【発明の効果】
【００１６】
以上のように、本発明の一局面にかかるスパークプラグの製造方法によれば、スパークプラグを構成する絶縁体および主体金具それぞれの軸線が途中で傾いている場合に、互いの組付け精度を向上させることができる。したがって、主体金具の先端部と中心電極との間での火花放電の発生を抑制することのできるスパークプラグを得ることができる。
【図面の簡単な説明】
【００１７】
【図１】本発明の一実施形態にかかるスパークプラグの外観を示す側面図である。
【図２】本発明の一実施形態にかかるスパークプラグの製造途中で得られる組立体の内部構成を示す断面模式図である。
【図３】（ａ）は、主体金具と絶縁体との組み立て工程における位置合わせの一例を示す平面模式図および断面模式図である。（ｂ）は、主体金具と絶縁体との組み立て工程における位置合わせの他の例を示す平面模式図および断面模式図である。（ｃ）は、主体金具と絶縁体との組み立て工程における位置合わせの比較例を示す平面模式図および断面模式図である。
【図４】主体金具と絶縁体との組付け時の各軸線の傾き方向の位置関係を説明するための模式図である。
【図５】主体金具と絶縁体とが図３（ａ）に示す位置で組み付けられたときの各軸線の傾き方向の位置関係を示す模式図である。
【図６】主体金具と絶縁体とが図３（ｂ）に示す位置で組み付けられたときの各軸線の傾き方向の位置関係を示す模式図である。
【図７】主体金具と絶縁体とが図３（ｃ）に示す位置で組み付けられたときの各軸線の傾き方向の位置関係を示す模式図である。
【発明を実施するための形態】
【００１８】
以下、図面を参照しつつ、本発明の実施の形態について説明する。本実施形態では、スパークプラグ１の製造方法を例に挙げて説明する。
【００１９】
（スパークプラグの構成）
先ず、スパークプラグ１の全体構成について、図１および図２を参照しながら説明する。図１には、スパークプラグ１の全体構成を示す。図１では、紙面下側をスパークプラグ１の軸方向の先端側、紙面上側をスパークプラグ１の軸方向の後端側という。図２には、スパークプラグ１の製造途中で得られる組立体４０の先端側の内部構成を示す。図２では、紙面上側をスパークプラグ１の軸方向の先端側、紙面下側をスパークプラグ１の軸方向の後端側あるいは後方側という。スパークプラグ１は、絶縁体５０および略筒状の主体金具３０を備えている。
【００２０】
絶縁体５０は、スパークプラグ１の長手方向（軸方向）に延びる軸孔が形成された略円筒形状の部材である。絶縁体５０は、絶縁性、耐熱性、および熱伝導性に優れた材料で形成されている。例えば、絶縁体５０は、アルミナ系セラミックなどで形成されている。絶縁体５０は、軸方向に沿って延びる先端部５１と後方部５２とを有している。
【００２１】
先端部５１は、軸方向の先端側に向かって外径が縮径するテーパ形状を有している。先端部５１の端部には、中心電極２１が設けられている。後方部５２は、先端部５１の後方側に接続されている。後方部５２は、先端部５１よりも大径であり、絶縁体５０の胴体部分を構成している。後方部５２の先端には、先端部５１に向かって外径が縮径するテーパ部５２ａが設けられている。後方部５２の後方側の端部には、端子金具５３が取り付けられている。軸孔の中には、中心電極２１と端子金具５３との間に、これらを電気的に接続する部材が配置されている。
【００２２】
中心電極２１は、その先端部（電極先端部２２）が絶縁体５０の先端部５１の頂面５１ａ（図２参照）から突出した状態で、絶縁体５０の軸孔に保持されている。中心電極２１は略円柱形状を有しており、その先端部分は、電極先端部２２へ向かってテーパ状に縮径している。電極先端部２２は、縮径された中心電極２１の先端部分と同径の略円柱形状を有している。
【００２３】
主体金具３０は、内燃機関のネジ穴に固定される略円筒形状の部材である。主体金具３０は、絶縁体５０の外周に配置され、絶縁体５０を部分的に覆うように設けられている。主体金具３０は、導電性を有する金属材料で形成されている。主体金具３０は、主に、加締め部３１、工具係合部３２、湾曲部３３、座部３４、および胴部３６などを有している。
【００２４】
加締め部３１は、主体金具３０の後端側において絶縁体５０側に屈曲する部位である。工具係合部３２は、加締め部３１の先端側に接続され内燃機関（シリンダヘッド）のネジ穴に主体金具３０を取り付けるときに使用されるレンチなどの工具を係合させる部位である。座部３４は、工具係合部３２より先端側に位置し、主体金具３０の径方向外側に張り出している。湾曲部３３は、工具係合部３２と座部３４とを接続する薄肉の部位である。胴部３６は、座部３４の先端側に位置し、外周にネジ部が形成されている。座部３４と胴部３６のネジ部との間には、環状のガスケットが配置される。スパークプラグ１が内燃機関に取り付けられる際には、胴部３６の外周に形成されたネジ溝（図示せず）が内燃機関のネジ穴に螺合される。このとき、座部３４とシリンダヘッドとで環状のガスケットが挟まれることにより、ネジ穴における気密性が確保される。
【００２５】
図２に示すように、胴部３６は、先端側筒状部３６ａと、後端側筒状部３６ｂとを有している。先端側筒状部３６ａは、内部に絶縁体５０の先端部５１を備えている。後端側筒状部３６ｂは、先端側筒状部３６ａの後端側に接続されており、内部に絶縁体５０の後方部５２を備えている。主体金具３０の内周には、先端側筒状部３６ａと後端側筒状部３６ｂとの間に、先端側に向かってその内径が徐々に縮小するテーパ面３６ｃが設けられている。
【００２６】
絶縁体５０は、後方部５２の先端に位置するテーパ部５２ａが、主体金具３０の後端側筒状部３６ｂの先端に位置するテーパ面３６ｃに対して係止されている。図示はしていないが、絶縁体５０のテーパ部５２ａと、主体金具３０のテーパ面３６ｃとの間には、板パッキンが設けられている。
【００２７】
また、主体金具３０には、接地電極１１が接合されている。接地電極１１は、全体として略Ｌ字形に屈曲した形状をなす。接地電極１１の基端部、つまり、屈曲した部位からみた一方の端部は、主体金具３０の胴部３６の先端面３６ｄに接合されている。接地電極１１の先端部、つまり、屈曲した部位からみた他方の端部は、中心電極２１の電極先端部２２に対向する。そして、接地電極１１の先端部には、中心電極２１側に向かって突出する凸部１２が形成されている。
【００２８】
中心電極２１および接地電極１１は、例えば、Ｎｉ（ニッケル）を主成分として含むＮｉ基合金等の金属材料を母材として形成される。Ｎｉ基合金に添加される合金元素としては、Ａｌ（アルミニウム）等が挙げられる。中心電極２１および接地電極１１は、内部に熱伝導率に優れる芯材を有していても良い。この芯材は、例えば、Ｃｕ（銅）から形成される。
【００２９】
中心電極２１の電極先端部２２は、例えば、円柱状に成形された貴金属チップにて構成することができ、レーザ溶接や抵抗溶接等により中心電極２１の先端に接合される。貴金属チップは、例えばＰｔ、Ｉｒ、Ｒｈ、Ｒｕを含有する。
【００３０】
接地電極１１の凸部１２は、中心電極２１の電極先端部２２と同様の貴金属チップにて構成することができる。凸部１２は、例えば、レーザ溶接や抵抗溶接等によって接地電極１１に設けられる。
【００３１】
（スパークプラグの製造方法）
続いて、スパークプラグ１の製造方法について説明する。本実施形態にかかるスパークプラグ１の製造方法では、上述した構成を有する主体金具３０と絶縁体５０とが準備される。主体金具３０および絶縁体５０は、従来公知の製造方法などを用いて製造することができる。このときの主体金具３０は、屈曲前の加締め部３１、工具係合部３２、湾曲前の湾曲部３３、座部３４、および外周にネジ溝が形成された胴部３６を有し、屈曲前の接地電極１１が接合されている。絶縁体５０には、中心電極２０と端子金具５３とが固定されている。
【００３２】
その後、主体金具３０と絶縁体５０とを組み付ける組み立て工程が行われる。組み立て工程では、略筒状の主体金具３０の後端部側から絶縁体５０が軸線Ｏに沿って挿入されて図２に示す組立体４０が得られる。図２では、スパークプラグ１の概略的な軸線を、主体金具３０の後端側筒状部３６ｂの内周面を基準とした軸線Ｏ１および絶縁体５０の後方部５２の軸線Ｏ２に沿った軸線Ｏとして図示する。ただし、図２では、接地電極１１の図示は省略されている。絶縁体５０は主体金具３０の後端側筒状部３６ｂの内周面に沿って主体金具３０に挿入されるから、組み立て工程では、軸線Ｏ１と軸線Ｏ２とは略一致する。
【００３３】
図示はしていないが、主体金具３０のテーパ面３６ｃと、絶縁体５０のテーパ部５２ａとの間に板パッキンを介した状態で、主体金具３０と絶縁体５０とは組み付けられる。また、図示はしていないが、絶縁体５０の後方部５２と、主体金具３０の後端側筒状部３６ｂの後端部との間には、タルクが充填される。
【００３４】
タルクの充填の後、主体金具３０の後端に加締が施されることにより加締め部３１が形成される。このとき、加締め部３１の形成に伴ってタルクが軸線方向に押圧され圧縮される。タルクが軸線方向に押圧されることにより、絶縁体５０は主体金具３０内で先端側に向けて押圧される。この結果、絶縁体５０は、主体金具３０のテーパ面３６ｃと加締め部３１とに挟まれることによって主体金具３０に組み付けられる。これによって、組み立て工程が完了する。
【００３５】
この組み立て工程は、絶縁体５０を主体金具３０に組み付けるための装置を用いて行われる。このような装置としては、例えば、特許文献１（特開２０１１−３４６７７号公報）に開示されている組付け装置を採用してもよい。
【００３６】
この装置には、絶縁体５０の先端部５１に当接して、先端部５１の軸線の位置を矯正するための治具が備えられている。このような治具としては、例えば、特許文献１（特開２０１１−３４６７７号公報）に開示されている台座４００（より具体的には、金具規制部４３０および絶縁体規制部４５０）が挙げられる。
【００３７】
組み立て工程の後、接地電極１１は長手方向の中間部において屈曲される。これによって、接地電極１１の先端部が中心電極２１の電極先端部２２に対向する。このようにしてスパークプラグ１が得られる。
【００３８】
さて、本実施形態にかかるスパークプラグ１の製造方法では、絶縁体５０と主体金具３０との組付けを行う際に、互いの軸線の位置合わせが行われる。この位置合わせの方法について、以下に説明する。
【００３９】
主体金具３０および絶縁体５０などの個々の部材を製造する場合には、各部材の加工精度のばらつきによって主体金具自体の軸線または絶縁体自体の軸線が直線状にならず、各軸線が途中で傾斜した形状で製造されてしまうことがある。そこで、本実施形態にかかるスパークプラグ１の製造方法では、個々の部材の軸線の傾き（偏芯）を測定し、得られた測定結果に基づいて、主体金具３０および絶縁体５０の互いの軸線の位置合わせを行う。
【００４０】
組み立て工程において互いの軸線の位置合わせを行うに先立って、主体金具３０および絶縁体５０それぞれの軸線の傾き（偏芯）の測定が行われる。主体金具３０の軸線の傾きを測定する工程は、主体金具偏芯測定工程と呼ばれる。絶縁体５０の軸線の傾きを測定する工程は、絶縁体偏芯測定工程と呼ばれる。
【００４１】
図３（ａ）から（ｃ）には、主体金具３０および絶縁体５０の各軸線をそれぞれ異なる位置関係で組み付けた状態を示す。図３（ａ）および（ｂ）には、本実施形態にかかる製造方法を用いて、各軸線が望ましい位置関係で組み付けられた組立体４０を示す。図３（ｃ）には、各軸線が位置関係の許容範囲を逸脱した状態で組み付けられた比較例にかかる組立体１４０を示す。
【００４２】
図３（ａ）から図３（ｃ）において、上側の図は、組立体４０を先端側から見たときの平面模式図である。図３（ａ）から図３（ｃ）において、下側の図は、組立体４０の断面模式図である。
【００４３】
図３（ａ）から図３（ｃ）では、主体金具３０における後端側筒状部３６ｂの内周面を基準とした軸線をＯ１で示し、先端側筒状部３６ａの内周面を基準とした軸線をＡ１で示している。また、絶縁体５０における後方部５２の軸線をＯ２で示し、先端部５１の軸線をＡ２で示している。
【００４４】
そして、後端側筒状部３６ｂの軸線Ｏ１に対する先端側筒状部３６ａの軸線Ａ１の傾き方向であって、軸線の延びる方向（具体的には、先端側）から見たときの主体金具３０の軸線の傾き方向をＸと規定する。主体金具偏芯測定工程では、この傾き方向Ｘを特定する。主体金具偏芯測定工程では、例えば、主体金具３０の後端側筒状部３６ｂを支持した状態で軸線Ｏ１を起点として主体金具３０を回転させ、ピックテスターを用いて傾き方向Ｘを測定するという方法で、傾き方向Ｘを特定することができる。ピックテスターを用いて主体金具３０の内周面の偏芯を測定する具体的な方法については、従来公知の手法を採用することができるため、詳しい説明を省略する。
【００４５】
また、後方部５２の軸線Ｏ２に対する先端部５１の軸線Ａ２の傾き方向であって、軸線の延びる方向（具体的には、先端側）から見たときの傾き方向をＹと規定する。絶縁体偏芯測定工程では、この傾き方向Ｙを特定する。絶縁体偏芯測定工程では、例えば、絶縁体５０の後方部５２を支持した状態で軸線Ｏ２を起点として絶縁体５０を回転させ、ピックテスターまたは撮影画像を用いて傾き方向Ｙを測定するという方法で、傾き方向Ｙを特定することができる。ピックテスターまたは撮影画像を用いて絶縁体５０の偏芯を測定する具体的な方法については、従来公知の手法を採用することができるため、詳しい説明を省略する。
【００４６】
上述の各測定方法において、主体金具３０の軸線の傾き方向Ｘおよび絶縁体５０の軸線の傾き方向Ｙを特定した後、組み立て工程では、互いの軸線の傾き方向が所定の位置関係となるように主体金具３０と絶縁体５０とを組み付ける。すなわち、組み立て工程では、軸方向の先端側（すなわち、先端部５１側）から見たときに、傾き方向Ｘと傾き方向Ｙとのなす角の小さい方が０°以上９０°以下の範囲内となるように、主体金具３０と絶縁体５０とを組み付ける。
【００４７】
図４には、主体金具３０と絶縁体５０との組付け時の各軸線の傾き方向の位置関係の一例を模式的に示す。図４に示す例では、主体金具３０の後端側筒状部３６ｂの軸線Ｏ１が、ＸＹ座標における（０，０）の位置にあるとする。つまり、軸線Ｏ１が（０，０）の位置において紙面垂直方向に延びているとする。そして、主体金具３０と絶縁体５０との組付けを行う場合には、絶縁体５０の後方部５２の軸線Ｏ２が、軸線Ｏ１と概ね重なるため、絶縁体５０の後方部５２の軸線Ｏ２のＸＹ座標における位置も、実質的に（０，０）となる。
【００４８】
また、図４では、主体金具偏芯測定工程で測定された軸線Ｏ１に対する先端側筒状部３６ａの軸線Ａ１の傾き方向Ｘを矢印で図示している。さらに、図４では、絶縁体偏芯測定工程で測定された軸線Ｏ２に対する先端部５１の軸線Ａ２の傾き方向Ｙを矢印で図示している。なお、図４、および、後述する図５から図７では、傾き方向を矢印の向きで表すとともに、傾きの大きさを矢印の長さで表している。
【００４９】
図４では、軸方向の先端側（すなわち、先端部５１側）から見たときの傾き方向Ｘを０°の方向と仮定する。そして、同じ方向から見たときの傾き方向Ｘと傾き方向Ｙとのなす角のうちの小さい方の角度をθと規定する。本実施形態にかかる組み立て工程では、傾き方向Ｘと傾き方向Ｙとのなす角の小さい方（すなわち、角度θ）が０°以上９０°以下の範囲内となるように、主体金具３０と絶縁体５０とを組み付ける。
【００５０】
図３（ａ）は、角度θが０°で組み付けられたときの組立体４０を示す。また、図５には、このときの軸線Ａ１、Ａ２の傾き方向の位置関係を示す。なお、図３（ａ）および図５では、傾きＸの大きさと傾きＹの大きさとが、ほぼ同じ場合の例を示しているが、傾きＸの大きさと傾きＹの大きさとは、必ずしも同じである必要はない。より好ましくは、傾きＸの大きさと傾きＹの大きさとは、ほぼ同じであるのがよい。
【００５１】
角度θが０°となるように主体金具３０と絶縁体５０との組付けが行われた場合、組立体４０の先端側において、軸線Ａ１の位置と軸線Ａ２の位置とが非常に近接した状態（あるいは、ほぼ一致した状態）となる（図３（ａ）の上側の図参照）。すなわち、絶縁体５０の頂面５１ａの中心は、主体金具３０の先端側筒状部３６ａの内径の略中心に位置する。これにより、主体金具３０と絶縁体５０の先端に取り付けられる中心電極２１との間の距離を比較的大きく確保することができ、主体金具３０の先端部と中心電極２１との間での火花放電の発生を抑制することができる。
【００５２】
図３（ｂ）は、角度θが９０°で組み付けられたときの組立体４０を示す。また、図６には、このときの軸線Ａ１、Ａ２の傾き方向の位置関係を示す。なお、図３（ｂ）および図６では、傾き方向Ｘの大きさよりも傾き方向Ｙの大きさの方が小さい例を示しているが、それぞれの傾きの大きさは互いに同じであってもよいし、傾きＸの大きさよりも傾きＹの大きさの方が大きくてもよい。
【００５３】
角度θが９０°となるように主体金具３０と絶縁体５０との組付けが行われた場合、組立体４０の先端側において、軸線Ａ１の位置と軸線Ａ２の位置とがある程度近接した状態となる（図３（ｂ）の上側の図参照）。これにより、主体金具３０の先端側筒状部３６ａ内の内径の中心に近い位置に中心電極２１が位置することになる。すなわち、中心電極２１と主体金具３０との間の最短距離が短くなることが避けられる。そのため、主体金具３０の先端部と中心電極２１との間での火花放電の発生を抑制することができる。
【００５４】
以上のように、組み立て工程において、傾き方向Ｘと傾き方向Ｙとのなす角度θが０°以上９０°以下の範囲内となるように主体金具３０と絶縁体５０とを組み付けることで、主体金具３０の先端部と中心電極２１との間での火花放電の発生を抑制することのできるスパークプラグ１を得ることができる。なお、角度θを０°により近づけることで、各軸線Ａ１およびＡ２のずれ量を小さくすることができる。
【００５５】
ここで、比較のために、角度θが９０°を超えた場合の構成例について、図３（ｃ）および図７を参照しながら説明する。図３（ｃ）は、角度θが１８０°で組み付けられたときの組立体１４０を示す。また、図７には、このときの軸線Ａ１、Ａ２の傾き方向の位置関係を示す。
【００５６】
角度θが１８０°の状態で主体金具３０と絶縁体５０との組付けが行われた場合、組立体１４０の先端側において、軸線Ａ２は、軸線Ａ１から大きく離れた状態となる（図３（ｃ）の上側の図参照）。この構成では、主体金具３０の先端側筒状部３６ａ内における中心電極２１の位置に偏りが生じ、ある位置（図３（ｃ）の例では、図中右側）においては、絶縁体５０の先端部５１が主体金具３０の先端面３６ｄに近接する。このように、角度θが９０°を超えるように主体金具３０と絶縁体５０とを組み付けると、軸線Ａ１およびＡ２のずれ量が大きくなる。その結果、絶縁体５０の先端部５１に取り付けられる中心電極２１の先端部と主体金具３０の先端部との間の最短距離が短くなり、主体金具３０の先端部と中心電極２１との間で火花放電が発生する虞がある。
【００５７】
したがって、組み立て工程では、傾き方向Ｘと傾き方向Ｙとのなす角度θが０°以上９０°以下の範囲内となるように主体金具３０と絶縁体５０とを組み付ける。これにより、主体金具３０の軸線Ａ１と絶縁体５０の軸線Ａ２とのずれ量を小さくすることができ、組付け精度の向上したスパークプラグ１を得ることができる。
【００５８】
なお、組み立て工程では、治具を用いて、絶縁体５０の先端部５１に当接して、先端部５１の軸線Ａ２を主体金具３０の先端側筒状部３６ａの軸線Ａ１側へ位置を矯正してもよい。
【００５９】
このような治具としては、上述した特許文献１（特開２０１１−３４６７７号公報）に開示されている治具（例えば、特許文献１に記載の金具規制部４３０、絶縁体規制部４５０）が挙げられる。この治具を用いることにより、組み立て工程において、主体金具３０の先端側筒状部３６ａの径方向の移動および絶縁体５０の先端部５１の径方向の移動が規制されるので、先端側筒状部３６ａの軸線Ａ１と、絶縁体５０の先端部５１の軸線Ａ２とが互いに近づきやすくなる。
【００６０】
このように、治具を用いて絶縁体５０と主体金具３０との組付けを行うことで、絶縁体５０の先端部５１と主体金具３０の先端側筒状部３６ａとは、径方向への変位が規制される。絶縁体５０の軸線Ａ２と主体金具３０の軸線Ａ１との相対的な位置を所定の状態に合わせた状態で、絶縁体５０と主体金具３０との相対位置を軸線方向に変えることで、組付け後の各軸線Ａ１およびＡ２の相対位置をより所望の状態に近づけることができる。
【００６１】
なお、それぞれの軸線が直線状ではない主体金具と絶縁体とを組み付ける際に、軸線位置を矯正するための治具を用いて絶縁体の軸線の位置を強制的に矯正しながら組付けを行うと、主体金具の内周面と絶縁体との接触部分（板パッキンが配置されている部分）に応力が集中し、この部分が損傷する可能性がある。しかし、本実施形態にかかる組み立て工程では、互いの軸線の位置合わせを行う段階で、各軸線Ａ１およびＡ２のなす角度θが０°以上９０°以下の範囲内となるようにして主体金具３０と絶縁体５０とを組み付ける。そのうえで治具を用いて絶縁体の軸線の位置を矯正するので、矯正の程度を小さくすることができ、主体金具と絶縁体との接触部分に過度な負荷がかかることを回避することができる。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００６３】
１      ：スパークプラグ
１１    ：接地電極
２１    ：中心電極
３０    ：主体金具
３６ａ  ：先端側筒状部
３６ｂ  ：後端側筒状部
４０    ：組立体
５０    ：絶縁体
５１    ：先端部
５２    ：後方部
Ｏ１    ：主体金具の後端側筒状部の軸線
Ｏ２    ：絶縁体の後方部の軸線
Ａ１    ：主体金具の先端側筒状部の軸線
Ａ２    ：絶縁体の先端部の軸線
【図１】
2020194663.tif 000003
【図２】
2020194663.tif 000004
【図３】
2020194663.tif 000005
【図４】
2020194663.tif 000006
【図５】
2020194663.tif 000007
【図６】
2020194663.tif 000008
【図７】
2020194663.tif 000009